(57)【要約】【課題】ミラーダウン時に生じる主副両反射ミラーのミラーバウンドを確実に抑止して測距動作の開始を早めることができるようにした一眼レフレックスカメラを提供する。【解決手段】固定部材と、固定部材に軸支され観察位置と退避位置とに回動移動可能な主反射ミラー１３と、主反射ミラーに相対回動可能に設けられ主反射ミラーが観察位置にあるときに主反射ミラーに対して所定の角度をもって開いた第１の状態と主反射ミラーが退避位置にあるときに主反射ミラーに重なる第２の状態との間で相対回動可能であって第１の状態でのバウンドを抑えるために設けられる被係合部６２ａを備えた副反射ミラー１４と、固定部材に設けられ副反射ミラーが第２の状態から第１の状態に移行するのに連動して被係合部に係合する係合部材５２ｃとを具備する。【選択図】図１
2010128199.tif 000002
【特許請求の範囲】
【請求項１】
一眼レフレックスカメラにおいて、
固定部材と、
上記固定部材に軸支され、観察位置と退避位置とに回動移動可能な主反射ミラーと、
上記主反射ミラーに相対回動可能に設けられ、上記主反射ミラーが上記観察位置にあるときに上記主反射ミラーに対して所定の角度をもって開いた第１の状態と、上記主反射ミラーが上記退避位置にあるときに上記主反射ミラーに重なる第２の状態と、の間で相対回動可能であって、上記第１の状態でのバウンドを抑えるために設けられる被係合部を備えた副反射ミラーと、
上記固定部材に設けられ、上記副反射ミラーが上記第２の状態から上記第１の状態に移行するのに連動して上記被係合部に係合する係合部材と、
を具備することを特徴とする一眼レフレックスカメラ。
【請求項２】
上記被係合部は、上記係合部材と係合する斜面部を有し、上記被係合部と上記係合部材とが係合した時には、上記被係合部の上記斜面部と係合して上記主反射ミラーを上記観察位置に保持し、さらに上記副反射ミラーを上記第１の状態に保持することを特徴とする請求項１に記載の一眼レフレックスカメラ。
【請求項３】
上記被係合部は、カム板状の形状を有し、
上記係合部材は、揺動レバーにより形成されていることを特徴とする請求項１又は請求項２のいずれかに記載の一眼レフレックスカメラ。
【発明の詳細な説明】
【技術分野】
【０００１】
この発明は、一眼レフレックスカメラ、詳しくは駆動モータの駆動力によって駆動されるクイックリターン方式のミラー駆動装置を備えた一眼レフレックスカメラに関するものである。
【背景技術】
【０００２】
従来、撮影レンズを介して入射した被写体からの光束に基いて形成される被写体の光像を撮像素子により光電変換して画像データファイルを取得するように構成される撮影装置であるデジタルカメラが実用化され、また広く普及している。
【０００３】
このような従来のデジタルカメラには、種々の形態のものがあり、例えばクイックリターン方式のミラー駆動装置を備えた一眼レフレックス方式のデジタルカメラ（以下、一眼レフカメラと略記する）等が実用化されている。
【０００４】
従来の一眼レフカメラにおけるミラー駆動装置は、撮影レンズの光路上に配置され当該撮影レンズを透過して入射する被写体光束を観察光学系であるファインダ装置側へと導く観察位置（ミラーダウン状態）と、同撮影レンズの光路上から退避して当該撮影レンズを透過して入射する被写体光束を撮像素子側に導く退避位置（ミラーアップ状態）との間で回動移動可能となるようにカメラ本体内部の固定部材に軸支される反射ミラーと、この反射ミラーを適宜必要なタイミングで光路上に配置する観察位置と光路上から退避させる退避位置とに移動させる駆動源及びその駆動制御を行なう駆動ユニット等によって構成されている。なお、ミラー駆動装置の動力源としては、例えば小型モータ等が用いられる。
【０００５】
上記反射ミラーは、観察位置にあるときに撮影レンズを介して入射した光束により形成される光学像をファインダ光学系へと導く主反射ミラー（メインミラー）と、この主反射ミラーの略中央部分の一部領域を透過した光束を測距装置側へと導く副反射ミラー（サブミラー）とによって構成されている。
【０００６】
上記主反射ミラーは、上述したようにカメラ本体内部の固定部材に軸支されており、駆動ユニットによる駆動源の駆動制御が行なわれることによって、主反射ミラーは、適宜必要なタイミングで所定の観察位置と退避位置との間で回動移動するようになっている。
【０００７】
上記副反射ミラーは、主反射ミラーに対して相対的に回動自在に設けられており、主反射ミラーが観察位置と退避位置との間で回動移動するのに連動して、主反射ミラーに対して相対的に回動することにより、主反射ミラーの位置に応じた所定の状態となるように構成されている。
【０００８】
この場合において、副反射ミラーは、主反射ミラーが観察位置に配置されているときには、該主反射ミラーに対して所定の角度を持たせた開状態とされる。副反射ミラーが開状態にあるときには、上述のように、主反射ミラーの略中央部分の一部領域を透過した光束を反射してカメラ下方にある測距装置側へと導くようになっている。
【０００９】
また、副反射ミラーは、主反射ミラーが退避位置に配置されているときには、該主反射ミラーの裏面側に重なるように配置される閉状態とされる。副反射ミラーが閉状態にあるときには、上述のように、被写体からの光束は、撮像素子側へと導かれるようになっている。
【００１０】
このような構成のミラー駆動装置を備えた従来の一眼レフカメラにおいて、撮影動作が行われる場合、まず、反射ミラーは、観察位置から退避位置へと回動移動して、所定の退避位置で停止し、この一時停止状態が保持される。
【００１１】
反射ミラーがこの状態にあるとき、シャッタ装置が駆動されて所定量の被写体光束が撮像素子の受光面に照射される。これを受けて撮像素子は、所定の露出動作を実行する。この露出動作が完了した後、反射ミラーは退避位置から観察位置へと回動移動する。
【００１２】
こうして反射ミラーが退避位置から観察位置へと回動移動して観察位置で停止する時、同反射ミラーは一方向に移動している状態から急激に停止させられることになる。このとき、反射ミラーは一方向への移動の慣性力が働いているので、所定の停止位置ですぐに停止させることは困難であるため、所定の観察位置で完全に停止状態となるまでの間、所定の時間、反射ミラーはいわゆるミラーバウンド状態になる。
【００１３】
このミラーバウンド状態は、主反射ミラーに生じる現象であると共に、この主反射ミラーに対して相対的に回動移動する副反射ミラーにおいても生じる現象である。
【００１４】
このように、主副両反射ミラーがミラーバウンド状態にある時、主副両反射ミラーによって形成される像は安定しない状態にある。この場合において、特に、副反射ミラーによる像を受けて行われる測距動作による測距精度を確保するためには、副反射ミラーが完全に停止した状態で測距動作を開始させるように制御する必要がある。このことから、ミラーバウンド状態にある間は、測距動作を行なうことができず、例えば連続的な撮影動作を実行する連写機能が制限されてしまう等の問題点がある。
【００１５】
そこで、従来の一眼レフカメラにおいては、反射ミラーのミラーバウンド状態を抑止するためミラーバウンド防止装置については、例えば特開平９−２７４２５０号公報等によって種々の提案が行われている。
【００１６】
上記特開平９−２７４２５０号公報によって開示されている一眼レフカメラのミラーバウンド防止装置は、ミラーと、このミラーを保持する保持部材と、この保持部材に接触して該保持部材を所定の位置に規制する規制部材とを備え、保持部材は所定の位置で規制部材に接触可能なＵ字形状溝を具備して構成している。この構成により、上記公報に開示のカメラにおいては、保持部材が観察位置に復帰した時（ミラーダウン時）に、保持部材のＵ字状溝に規制部材が接触（嵌合）することによりミラーバウンドを抑止することができるというものである。これにより、サブミラーのバウンド時間を短縮することができ、測距開始を早めてオートフォーカスによる連続撮影動作時の単位時間あたりの撮影枚数を多くするというものである。
【特許文献１】特開平９−２７４２５０号公報
【発明の開示】
【発明が解決しようとする課題】
【００１７】
ところが、上記特開平９−２７４２５０号公報等によって開示されている従来の一眼レフカメラのミラーバウンド防止装置では、保持部材と規制部材とを嵌合させてサブミラーのミラーバウンドを抑止する状態としたとき、サブミラー（副反射ミラー）の回動方向への移動を規制することはできるが、主ミラーのバウンドに伴うサブミラー平面に沿う方向の移動を抑止することについては考慮されていない。また、主ミラーのミラーバウンドを抑止することについての考慮もなされていない。
【００１８】
このことから、主ミラーがバウンド状態になったとき、その振動はサブミラーを主ミラー平面に沿う方向に振動させる可能性があるという問題点がある。
【００１９】
したがって、同後方によって開示されている構成を採用したとしても、依然としてミラーダウン時におけるサブミラーのミラーバウンドを確実に抑止することができず、よって、主サブ両反射ミラーにより形成される像の安定性を確保できない場合があり得るという問題点は残されている。
【００２０】
本発明は、上述した点に鑑みてなされたものであって、その目的とするところは、ミラーダウン時に生じる主副両反射ミラーのミラーバウンドを確実に抑止して、副反射ミラーにより形成される像が安定した状態となるまでの時間を短縮させることにより、測距動作の開始をより早めることができ、よって、オーフォフォーカスによる連続撮影動作時の単位時間あたりの撮影枚数を多くすることを可能とする一眼レフレックスカメラを提供することである。
【課題を解決するための手段】
【００２１】
上記目的を達成するために、本発明による一眼レフレックスカメラは、固定部材と、上記固定部材に軸支され、観察位置と退避位置とに回動移動可能な主反射ミラーと、上記主反射ミラーに相対回動可能に設けられ、上記主反射ミラーが上記観察位置にあるときに上記主反射ミラーに対して所定の角度をもって開いた第１の状態と、上記主反射ミラーが上記退避位置にあるときに上記主反射ミラーに重なる第２の状態と、の間で相対回動可能であって、上記第１の状態でのバウンドを抑えるために設けられる被係合部を備えた副反射ミラーと、上記固定部材に設けられ、上記副反射ミラーが上記第２の状態から上記第１の状態に移行するのに連動して上記被係合部に係合する係合部材と、を具備することを特徴とする。
【発明の効果】
【００２２】
本発明によれば、ミラーダウン時に生じる主副両反射ミラーのミラーバウンドを確実に抑止して、副反射ミラーにより形成される像が安定した状態となるまでの時間を短縮させることにより、測距動作の開始をより早めることができ、よって、オーフォフォーカスによる連続撮影動作時の単位時間あたりの撮影枚数を多くすることを可能とする一眼レフレックスカメラを提供することができる。
【発明を実施するための最良の形態】
【００２３】
以下、図示の実施の形態によって本発明を説明する。
【００２４】
図１〜図２３は、本発明の一実施形態を説明する図である。このうち、図１は本実施形態の一眼レフレックスカメラの内部構成を示す縦側断面図である。図２は本実施形態の一眼レフレックスカメラの横断面図である。図３は、本実施形態の一眼レフレックスカメラの主要構成ユニットを取り出して分解して示す要部拡大分解斜視図である。図４は本実施形態の一眼レフレックスカメラの主要構成ユニットを組み立てた状態を示す要部拡大斜視図である。図５は図４の［Ｖ］−［Ｖ］線に沿う断面図である。図６は図３の状態の主要構成ユニットから一部の構成部材（ミラー駆動及びシャッタチャージ装置の一部とシャッタ装置等）を取り除いた状態を示す要部拡大斜視図である。図７は本実施形態の一眼レフレックスカメラにおける反射ミラー機構とミラーバウンド抑止機構に関連する構成部材のみを取り出して示す要部拡大斜視図である。図８は本実施形態の一眼レフレックスカメラにおける反射ミラー機構のみを取り出して示す要部拡大斜視図である。
【００２５】
図９〜図１９は、本実施形態の一実施形態の一眼レフレックスカメラにおけるミラー駆動装置の作用を説明する図である。
【００２６】
図２０，図２１は、反射ミラー機構をミラーボックスの中側からミラー駆動装置側を見た場合の平面図を示す。このうち、図２０は、サブミラーレバーの被係合部に対しＳＭＢレバーの係合ピンが係合した状態を示す図である。また、図２１は、サブミラーレバーの被係合部とＳＭＢレバーの係合ピンとの非係合状態を示す図である。
【００２７】
図２２，図２３は、本実施形態のカメラと従来のカメラにおいて、反射ミラー機構の各反射ミラーがミラーアップ状態からミラーダウン状態に移行した時に生じるミラーバウンドの状況を比較して示す線図である。このうち図２２は、反射ミラー機構のうちメインミラーのミラーバウンド状況を示している。図２３は、反射ミラー機構のうちサブミラーのミラーバウンド状況を示している。なお、図２２，図２３において、実線で示す線図は本実施形態のカメラにおけるミラーバウンド状況を、点線で示す線図は従来のカメラにおけるミラーバウンド状況を、それぞれ示している。
【００２８】
まず、本実施形態の一眼レフレックスカメラの概略的な構成について、主に図１，図２を用いて以下に説明する。
【００２９】
本実施形態の一眼レフレックスカメラ（以下、単にカメラという）１は、前面及び底面の一部を覆う前側カバー８Ａと、背面及び底面の一部を覆う後側カバー８Ｂと、上面を覆う上側カバー９等の外装部材によってカメラ筐体が形成されている。
【００３０】
このカメラ筐体の内部に各種の構成ユニット、例えば反射ミラー機構２を内部に設けたミラーボックス１２，撮像素子１６等からなる撮像ユニット３，観察光学系を構成するファインダユニット４，測距ユニット５，表示ユニット６，ストロボユニット７，シャッタ装置１５，本カメラ１の駆動源としてのバッテリー２６等がそれぞれ所定の位置に配置されている。
【００３１】
ミラーボックス１２の前面側にはボディマウント（カメラマウント）１１が設けられている。このボディマウント１１は、撮影レンズ（特に図示せず）を着脱可能にする接続部材である。
【００３２】
なお、以下の説明において「光路」というときは、撮影レンズがボディマウント１１に装着されたときに、この撮影レンズを介して入射される被写体光束の光路を指すこととする。また、例外がある場合にはその旨を明記する。
【００３３】
このボディマウント１１の光路上後方にはミラーボックス１２が配設されており、このミラーボックス１２内に、反射ミラー機構２を構成する可動反射ミラーであり主反射ミラーであるメインミラー１３及び副反射ミラーであるサブミラー１４等が配設されている。また、図２に示すように、ミラーボックス１２の外壁の一方の側面（本実施形態ではカメラ１の正面に向かって右側面）には、反射ミラー機構２の各ミラー１３，１４をアップ駆動及びダウン駆動を行うと同時にシャッタ装置１５のシャッタチャージ駆動とを行なうための駆動源である駆動モータ２０と、この駆動モータ２０の駆動力を反射ミラー機構２やシャッタ装置１５へと伝達する動力伝達機構及びこの動力伝達機構に連動して駆動され反射ミラー機構２のミラーバウンドを抑止するためのミラーバウンド抑止機構５０等を含んで構成されるミラー駆動及びシャッタチャージ装置（以下、ミラー駆動装置と略記する）１０が配設されている。
【００３４】
なお、ミラー駆動装置１０は、図１では図示されておらず、図２以降を参照のこと。また、このミラー駆動装置１０の詳細構成については後述する（図３〜図６等参照）。
【００３５】
反射ミラー機構２の構成部材のうちメインミラー１３は、一方の面に反射面を有する板状部材からなり、メインミラー保持枠１３ｘによって保持されている。メインミラー保持枠１３ｘの一端縁は、ミラーボックス１２の内側の固定部に対して回動軸１３ｃ周りに回動自在に軸支されている。これにより、メインミラー１３は、メインミラー保持枠１３ｘに保持された状態で、図１の矢印Ｒ１方向において所定の範囲内で回動するようになっている。
【００３６】
そして、メインミラー１３は、反射面の少なくとも一部に半透過部を有して構成されている。
【００３７】
一方、反射ミラー機構２の構成部材のうちサブミラー１４は、一方の面に全反射面を有する板状部材からなり、サブミラー保持枠１４ｘによって保持されている。サブミラー保持枠１４ｘの外周縁部における一辺は、メインミラー１３に対して相対的に回動可能となるように同メインミラー１３の背面側の固定部（不図示）に対してメインミラー１３の回転軸１３ｃと平行な回動軸１４ｂ（図７，図８参照）を介して軸支されている。これにより、サブミラー１４は、サブミラー保持枠１４ｘに保持された状態で、図１の矢印Ｒ２方向に回動軸１４ｂを回動中心として所定の範囲内で回動するようになっている。
【００３８】
なお、反射ミラー機構２を構成するメインミラー１３及びサブミラー１４は、図１において実線で示す観察位置（符号１３，１４）と、図１において二点鎖線で示す退避位置（符号１３ａ，１４ａ）との間で回動移動可能に設けられている。
【００３９】
つまり、反射ミラー機構２の各ミラー１３，１４が観察位置にある状態では、メインミラー１３は、被写体側から撮影レンズ（不図示）を透過してミラーボックス１２内に入射する被写体光束の光路に対して角度略４５度の傾きを有して、その光路上に配置される。またこのときの状態、即ちメインミラー１３が観察位置にある状態においてサブミラー１４は、メインミラー１３に対して所定の角度の傾きを有して開いた状態となるように配置されている。このときのサブミラー１４の状態を第１の状態というものとする。
【００４０】
このとき、メインミラー１３の反射面及びサブミラー１４の全反射面は、撮影レンズの側、即ち本カメラ１の前方に向けて配置される。
【００４１】
これにより、メインミラー１３は、観察位置にある状態では、被写体側から撮影レンズを透過して入射した被写体光束を反射面で反射して、その光路を折り曲げてファインダユニット４の側に導くと共に、同被写体光束の一部を半透過部から透過させてサブミラー１４の側に向けて直進させるようになっている。そして、サブミラー１４は、メインミラー１３の半透過部を透過して直進してきた被写体光束を全反射面で反射させて、その光路を折り曲げて、本カメラ１の底面側に配置される測距ユニット５の側に導くようになっている。
【００４２】
一方、反射ミラー機構２の各ミラー１３，１４が退避位置にある状態では、被写体側から撮影レンズを透過してミラーボックス１２内に入射する被写体光束は、そのまま直進してミラーボックス１２の光路上後方に配置される撮像ユニット３の側へと導かれるようになっている。このとき、反射ミラー機構２はファインダユニット４へと入射する光束を遮るようになっている。またこのときの状態、即ちメインミラー１３が退避位置にある状態においてサブミラー１４は、メインミラー１３の裏面において同メインミラー１３に重なる状態となるように配置される。このときのサブミラー１４の状態を第２の状態というものとする。
【００４３】
そして、サブミラー１４は、第１の状態（メインミラー１３が観察位置にある状態）と第２の状態（メインミラー１３が退避位置にある状態）との間でメインミラー１３に対して相対回動可能となるように、同メインミラー１３の背面側の固定部（不図示）に軸支されている。
【００４４】
なお、サブミラー１４を保持するサブミラー保持枠１４ｘの外周縁部において、上記回動軸１４ｂの軸心と平行な周縁部の一辺に対して直交する側の他の周縁部のうち少なくとも一辺を含む周縁部には、後述するミラーバウンド抑止機構５０のＳＭＢレバー５２の係合部材である係合ピン５２ｃが係合する被係合部６２ａ（カム面）を備えたサブミラーレバー６２が固設されている。このサブミラーレバー６２は、反射ミラー機構２の主副両反射ミラー１３，１４が上記第１の状態とされたときに生じるミラーバウンドを抑えるために設けられている。
【００４５】
つまり、サブミラーレバー６２は、サブミラー１４のサブミラー保持枠１４ｘと一体に配設されている。そして、所定のタイミングでミラーダウン動作が行われてサブミラー１４及びサブミラー保持枠１４ｘがミラーダウン状態とされたとき、サブミラーレバー６２の被係合部６２ａに、後述するミラーバウンド抑止機構５０のＳＭＢレバー５２の係合ピン５２ｃが係合するように構成されている。
【００４６】
これにより、被係合部６２ａに係合ピン５２ｃが係合した状態になったときには、即時にサブミラー１４及びサブミラー保持枠１４ｘはミラーダウン状態が保持されるようになっている。
【００４７】
そのために、被係合部６２ａは、図８に示すように（図２０，図２１も参照）、係合ピン５２ｃを受ける部位の形状が略円弧形状で斜面部を有する凹状の略Ｕ字形状に形成されている。この場合において、被係合部６２ａの円弧形状部位は、例えば係合ピン５２ｃの外周円弧形状よりやや大きい形状となっていて、係合ピン５２ｃの外周とは隙間を有するように形成されている。このように、被係合部６２ａと係合ピン５２ｃとの外形形状を工夫して構成すれば、両者の係合状態をより確実に行なうことができるので、ミラーバウンドの抑止効果の向上に寄与することになる。
【００４８】
ミラーボックス１２の光路上後方には、被写体光束の通過時間を制御するためのシャッタ機構及びこのシャッタ機構の開閉制御を行なうシャッタ制御機構等からなるシャッタ装置１５が配設されている。
【００４９】
上述のように反射ミラー機構２が退避位置にある状態となったとき、シャッタ装置１５のシャッタ機構が開状態にされると、入射した被写体光束は、さらに光路上後方に配置される撮像ユニット３の撮像素子１６の受光面に照射されるようになっている。
【００５０】
なお、本実施形態のカメラ１では、シャッタ装置１５は、例えばフォーカルプレーン式のシャッタ幕（不図示）を備えて構成したものが適用されている。したがって、シャッタ装置１５は、このシャッタ幕を駆動するためのシャッタ制御機構部１５ｂ（後述する図３等参照）等を有して構成されるユニットとして示している。
【００５１】
上述したように、シャッタ装置１５の光路上後方には、撮像ユニット３が配設されている。この撮像ユニット３は、撮像素子１６や、この撮像素子１６で取得した画像信号についての各種の信号処理を施す回路等を実装した電気基板等によって構成される。
【００５２】
ミラーボックス１２の上方には、観察光学系を構成するファインダユニット４が配設されている。このファインダユニット４は、被写体像が結像されるように形成されるフォーカシングスクリーン１７と、このフォーカシングスクリーン１７に結像された被写体像を正立正像に変換するためのペンタプリズム１８と、このペンタプリズム１８からの光学像を拡大して観察者の眼に導くための接眼光学系１９等によって構成されている。
【００５３】
このファインダユニット４は、反射ミラー機構２の各ミラー１３，１４が観察位置にある状態でメインミラー１３によって反射される被写体光束の光路上に配置されている。また、ファインダユニット４のフォーカシングスクリーン１７は、撮影レンズに対して撮像素子１６と光学的に等価な位置に配置されている。したがって、反射ミラー機構２が観察位置にある状態でフォーカシングスクリーン１７上に結像される像と、反射ミラー機構２が退避位置にある状態で撮像素子１６の受光面上に結像される像とは、光学的に等価な像となるように、各部材配置が規定されている。
【００５４】
ファインダユニット４の上方には、被写体に向けて補助照明光を照射するための閃光発光装置であるストロボユニット７が配設されている。このストロボユニット７は、使用時にはポップアップ状態となり、また、非使用時にはカメラ１の内部に収納され得るように突没自在に構成されている。なお、図１に示す状態は、ストロボユニット７が非使用時にある状態であって、同ストロボユニット７がカメラ１に対して収納されている状態を示している。
【００５５】
ミラーボックス１２の底面側には、位相差検出方式による焦点検出装置である測距ユニット５が配設されている。この測距ユニット５は、反射ミラー機構２の各ミラー１３，１４が観察位置にある状態でメインミラー１３の半透過部を透過した後、サブミラー１４によって反射される被写体光束の光路上に配置されている。
【００５６】
この測距ユニット５は、入射光を集光するコンデンサレンズ２１と、第１ミラー２２と、第２ミラー２３と、セパレータレンズ２４と、測距センサ２５等によって構成されている。
【００５７】
カメラ１の背面側には、カラー液晶表示素子等を含んで構成される表示ユニット６や各種の操作部材２７（図２参照）等が配設されている。
【００５８】
次に、本実施形態のカメラ１のうちミラーボックス１２の周辺の構成、特にミラー駆動装置１０の詳細構成について主に図３〜図８を用いて以下に説明する。
【００５９】
上述したように、本実施形態のカメラ１におけるミラー駆動装置１０は、ミラーボックス１２の外壁の一方の側面（本実施形態ではカメラ１の正面に向かって右側面）に配設されている。このミラー駆動装置１０は、反射ミラー機構２のメインミラー１３及びサブミラー１４をアップ又はダウン駆動させると共にシャッタ装置１５のシャッタチャージ駆動を行なうための駆動源である駆動モータ２０と、この駆動モータ２０の駆動力を反射ミラー機構２やシャッタ装置１５へと伝達する動力伝達機構及びこの動力伝達機構の動作に連動して駆動され反射ミラー機構２のミラーバウンドを抑止するためのミラーバウンド抑止機構５０等を含んで構成されている。
【００６０】
つまり、本カメラ１においては、一つの駆動モータ２０の駆動力を用いて、反射ミラー機構２の各ミラー１３，１４のアップダウン駆動と、シャッタ装置１５のシャッタチャージ駆動と、反射ミラー機構２の各ミラー１３，１４が観察位置にある状態となったときにサブミラー１４の移動を係止してミラーバウンドを抑止するミラーバウンド抑止動作と、を一連の動作によって行ない得るようになっている。
【００６１】
即ち、ミラー駆動装置１０の動力伝達機構は、ギアボックス２０ａと、出力ギアー２０ａａと、チャージギア３１と、駆動レバー３２と、第２の付勢ばねであるミラーアップばね３３と、第１の付勢ばねであるミラーダウンばね３４と、ミラーアップダウンレバー３５と、係止レバーであるミラーフックレバー３６と、フックレバー係止ばね３７と、シャッタチャージレバー３８等によって構成される。
【００６２】
ギアボックス２０ａは、複数のギアー等によって構成されるユニットである。このギアボックス２０ａには、駆動モータ２０の出力軸（不図示）が連結されている。そして、ギアボックス２０ａは、駆動モータ２０の駆動力を受けて、その駆動力を減速させると共に、同駆動モータ２０の出力方向を変換させる役目をしている。
【００６３】
このギアボックス２０ａには、出力ギアー２０ａａが連結されている。この出力ギアー２０ａａは、ギアボックス２０ａにより減速及び出力方向変換された駆動モータ２０の駆動出力を取り出す役目をしている。
【００６４】
なお、駆動モータ２０とギアボックス２０ａとは連結した状態でユニット化されており、このユニットは、ミラーボックス１２の側板６１の外面の所定の部位に取り付けられるギアボックス支持台２０ｂに対して、例えばネジ等の接続部材によって固定支持される。本実施形態において、駆動モータ２０は、シャッタ装置１５のシャッタ制御機構部１５ｂの外側の側方の位置に配置されるようになっている（図３，図５参照）。
【００６５】
チャージギア３１は、ミラーボックス１２の側板６１に植設された支持軸１２ｂによって回転自在に軸支されている。このチャージギア３１は、外周側に出力ギアー２０ａａと噛合するギアー部を有している。つまり、チャージギア３１のギアー部に出力ギアー２０ａａが噛合することにより駆動モータ２０の駆動力がチャージギア３１に伝達されるようになっている。そして、駆動モータ２０は一方向にのみ回転するようになっている。したがって、チャージギア３１も一方向（本実施形態では、ミラーボックス１２の側方から見て反時計方向；図９の矢印Ｒ４方向）にのみ回転する。
【００６６】
また、チャージギア３１の一面、即ち当該チャージギア３１がミラーボックス１２の側板６１に取り付けられた状態において、側板６１の壁面に対向する側の面には、チャージギア３１の回転軸方向に厚みを有し、その半径方向に連続的に寸法変化するカム３１ａ（図３〜図６では図示せず。図９等を参照。なお、図面上ではカム３１ａはチャージギア３１を透過して表現している。）と、チャージギア３１のカム３１ａが形成されている同一面上にあって同カム３１ａから離間した位置にチャージギア３１の回転軸に沿う方向に延びたフック解除ボス３１ｂ（図３等参照）が形成されている。
【００６７】
カム３１ａは、本ミラー駆動装置１０の基本構成部となる部材である。このカム３１ａは、ミラー駆動及びチャージ駆動を行なう駆動レバー３２に作用して、後述するように反射ミラー機構２及びシャッタ装置１５を所望のタイミングで駆動させるために、所定のカム形状を有して形成されている。
【００６８】
カム３１ａのカムの最大径は、チャージギア３１の歯底近傍にまで及んでいる。フック解除ボス３１ｂもチャージギア３１の歯底近傍に立てられている。そして、カム３１ａとフック解除ボス３１ｂとは、チャージギア３１の回転軸方向に略同じ厚みと高さで形成されており、後述のカムフォロワ３２ａがカム３１ａとフック解除ボス３１ｂとの間を通過するように形成されている。
【００６９】
具体的には後述するが、簡略に言えば、カム３１ａは、ミラーアップばね３３の付勢力に抗して駆動レバー３２を、メインミラー１３のダウン状態を維持しつつ、シャッタチャージする方向に回動させるチャージ当接部として機能する。また、フック解除ボス３１ｂは、ミラーフックレバー３６とミラーアップダウンレバー３５との係合を解除するための解除当接部として機能する。
【００７０】
チャージギア３１のカム３１ａには、駆動レバー３２のカムフォロワ３２ａが当接している。この駆動レバー３２は、シャッタチャージ駆動とメインミラー１３のミラーアップダウン駆動のために設けられる略板状の部材である。
【００７１】
駆動レバー３２は、回動中心となる回動基軸部３２ｃと、この回動基軸部３２ｃから延出して形成される一腕部の先端に同駆動レバー３２の平面に対して直交する方向に植設される軸形状からなるカムフォロワ３２ａと、同一腕部の中程の部位にカムフォロワ３２ａと同方向に突設するように形成されミラーアップばね３３の一端が係止される係止部３２ｂとを有して形成されている。
【００７２】
この駆動レバー３２は、ミラーボックス１２の側板６１の壁面に対して平行に配置され、この側板６１に沿う面内で往復回動自在となるように、当該側板６１に植設された回動軸としての別の支持軸１２ｃに軸支されている。
【００７３】
この支持軸１２ｃには、駆動レバー３２と側板６１との間にメインミラー１３をアップ方向に回動させるミラーアップダウンレバー３５が往復回動自在に軸支されている。また、駆動レバー３２の外側の面には、当該駆動レバー３２を所定方向（メインミラー１３をアップさせる方向）に回動付勢する第２の付勢ばねであるミラーアップばね３３が設けられ、このミラーアップばね３３は支持軸１２ｃに軸支される駆動レバー３２の回動基軸部３２ｃに巻回されている。
【００７４】
つまり、側板６１に植設される支持軸１２ｃには、ミラーアップダウンレバー３５，駆動レバー３２の順に軸支されていて、駆動レバー３２の回動基軸部３２ｃにミラーアップばね３３が巻回されている。
【００７５】
そして、駆動レバー３２の回動基軸部３２ｃの先端側には、ミラーアップばね３３，駆動レバー３２，ミラーアップダウンレバー３５の脱落を防ぐためにネジ３９が支持軸１２ｃと螺合して配設されている。つまり、このネジ３９は、ミラーアップばね３３，駆動レバー３２，ミラーアップダウンレバー３５のそれぞれの軸方向への移動を規制しつつ、これら各部材の回動方向への動作は許容するようになっている。
【００７６】
これにより、チャージギア３１が所定方向（側板６１に対して反時計方向；図９の矢印Ｒ４方向）に回動すると、同方向に回動するカム３１ａのカム面に沿って駆動レバー３２のカムフォロワ３２ａが相対移動することにより、駆動レバー３２は、支持軸１２ｃを回動中心として所定のタイミングで回動するように制御されている。
【００７７】
ミラーアップばね３３は、上述したように支持軸１２ｃに軸支される駆動レバー３２の回動基軸部３２ｃに巻回されており、その一端は駆動レバー３２の係止部３２ｂに係止され、他端はミラーボックス１２の側板６１の固定部（溝）１２ｅ（図６参照）に係止されている。したがって、このミラーアップばね３３は、側板６１に向かう側から見たとき、駆動レバー３２を支持軸１２ｃを回動中心として反時計方向に回動付勢している。
【００７８】
駆動レバー３２には、支持軸中心となる回動基軸部３２ｃとは異なる別の位置であって、他腕部側の中程の所定の位置３２ｄにピン４０が固定され、ミラーフックレバー３６がこのピン４０を回動中心として揺動可能に軸支されている。
【００７９】
このピン４０には、ミラーフックレバー３６を所定方向（ミラーアップダウンレバー３５に係合させる方向）に回動付勢する係止ばねであるフックレバー係止ばね３７が巻回されている。なお、フックレバー係止ばね３７の一端は係止部３６ｃに、他端はシャッタチャージレバー３８の係止部３８ｂに係止されている。これにより、フックレバー係止ばね３７は、側板６１に向かう側から見たとき、ミラーフックレバー３６をピン４０を回動中心として反時計方向（図９の矢印Ｒ４と同方向）に回動付勢している。
【００８０】
ミラーフックレバー３６は、メインミラー１３のアップ状態を維持したり、同状態を解除するための係止レバーである。このミラーフックレバー３６は、ミラーアップダウンレバー３５の係止ボス３５ｂに係合し又はその係合を解除することによって、ミラーアップダウンレバー３５をそれぞれ所定方向に回動させるフック部３６ａと、チャージギア３１のフック解除ボス３１ｂに適宜当接するフォロワ部３６ｂとを有して形成されている。
【００８１】
さらに、駆動レバー３２の平面上には、シャッタチャージレバー３８が駆動レバー３２と一体となるようにネジ等の接続手段（不図示）を用いて固設されている。このシャッタチャージレバー３８は、凸形状からなるシャッタチャージ部３８ａと、上記フックレバー係止ばね３７の他端を係止する係止部３８ｂとを有して合成樹脂で形成されている。
【００８２】
シャッタチャージ部３８ａは、シャッタ装置１５の所定の部位に回動自在に設けられシャッタ装置１５のシャッタ機構をセット状態とするシャッタセットレバー１５ａに作用してシャッタチャージ駆動を行なう部位である。このシャッタチャージ部３８ａは、所定のタイミングでシャッタ装置１５のシャッタセットレバー１５ａを押圧して、シャッタ装置１５のシャッタチャージ駆動を行なうようになっている。
【００８３】
一方、ミラーボックス１２の側板６１に植設された他の支持軸１２ｄには、メインミラー１３を所定のダウン方向に付勢するための回動付勢を与える第１の付勢ばねであるミラーダウンばね３４が巻回されている。このミラーダウンばね３４の一端３４ａはミラーボックス１２の側板６１の固定部１２ｆに係止されており（図９等を参照）、他端３４ｂ（図３参照）はミラー駆動棒１３ｂに係止されている。このミラー駆動棒１３ｂは、メインミラー１３からミラーボックス１２の側板６１側に向けて延出され、かつ側板６１の孔部６１ｂを介して同側板６１の側方外部に突出するように形成されている。そして、ミラー駆動棒１３ｂは、ミラーアップダウンレバー３５のレバー部３５ａに当接している。
【００８４】
したがって、この構成により、ミラーダウンばね３４は、ミラー駆動棒１３ｂに係合してメインミラー１３をダウン方向に回動付勢していると共に、側板６１に向かう側から見たとき支持軸１２ｃを回動中心とする時計方向に向けてミラーアップダウンレバー３５を回動させるようにミラー駆動棒１３ｂを介して付勢している。
【００８５】
他方、ミラー駆動装置１０における上記動力伝達機構の各構成部材の外面側には、これらの部材を覆うように薄板状のオサエ板４１が配設されている。このオサエ板４１はミラーボックス１２の側板６１の固定部に対してネジ止め等の固定手段により固定されている。この場合において、オサエ板４１は、上記動力伝達機構の動作を阻害しないように、かつ確実な動作を確保しながら、これらの構成部材の外面を覆うように配設されている。そして、これにより、オサエ板４１は、上記動力伝達機構の各構成部材、このうち特にチャージギア３１が支持される支軸に沿う方向、即ちミラーボックス１２の側板６１に直交する方向に脱落するのを防止している。
【００８６】
さらに、本実施形態におけるミラー駆動装置１０は、上記動力伝達機構の動作に連動して駆動され、反射ミラー機構２のミラーバウンドを抑止するためのミラーバウンド抑止機構５０を含んで構成されている。なお、ミラーバウンド抑止機構５０の構成の詳細は、主に図３及び図７，図１４〜図１９に図示されている（図４〜図６，図９〜図１３も参照）。
【００８７】
ミラーバウンド抑止機構５０は、サブミラーバウンド抑止カム（以下、ＳＭＢカムと略記する。図９〜図１３ではチャージギア３１を透過して表現している。）５１と、サブミラーバウンド抑止レバー（以下、ＳＭＢレバーと略記する）５２と、サブミラーバウンド抑止ばね（以下、ＳＭＢばねと略記する）５３と、サブミラーバウンド抑止レバー支持軸（以下、ＳＭＢレバー軸と略記する）５４と、レバー係止部材５５と、レバー係止部材支持軸５６と、レバー係止ばね５７等によって構成される。これらミラーバウンド抑止機構５０の各構成部材は、チャージギア３１とミラーボックス１２の側板６１との間の空間に動作可能な状態で配置されている。また、側板６１には、ミラーバウンド抑止機構５０の配置されている位置に対向する部位の近傍に孔６１ｄが形成されている。この孔６１ｄは、ミラーバウンド抑止機構５０の所定の構成部材（ＳＭＢレバー５２の係合ピン５２ｃ）と反射ミラー機構２の所定の構成部材（サブミラーレバー６２の被係合部６２ａ）とを連結させるために設けられているものである（詳細は後述する）。
【００８８】
ＳＭＢカム５１は、側板６１に植設された支持軸１２ｂによって回転自在に軸支されている。この支持軸１２ｂは、上述したようにチャージギア３１をも回動自在に軸支している回動軸である。したがって、ＳＭＢカム５１とチャージギア３１とは、支持軸１２ｂを中心に同方向に回動するようになっている。このとき、ＳＭＢカム５１とチャージギア３１とは相対的な位置関係が変化しないように、一体となって支持軸１２ｂを周るようにチャージギア３１に保持されている。そして、ＳＭＢカム５１の外周面上には、半径方向に連続的に寸法変化するカム部（カム周面）５１ａが形成されている。このカム部５１ａには、ＳＭＢレバー５２の後述するカムフォロワ５２ｂが当接している。
【００８９】
ＳＭＢレバー５２は、略Ｌ字形状からなる揺動レバーである。このＳＭＢレバー５２は、回動中心となる回動基部（孔）５２ａと、一腕部の先端に設けられるカムフォロワ５２ｂと、他腕部の先端近傍に設けられ側板６１の孔６１ｄ側に向けて突設される係合ピン５２ｃ（係合部材）と、他腕部の最先端部に形成され後述のレバー係止部材５５の係止部５５ｂに当接して同ＳＭＢレバーの回動を係止する被係止部５２ｄとを有して形成されている。
【００９０】
なお、係合ピン５２ｃは、側板６１の孔６１ｄを挿通してミラーボックス内に突出するように配置される。この場合において、ＳＭＢレバー５２の回動に伴い係合ピン５２ｃも所定の範囲で往復回動（即ち揺動）することになるので、側板６１の孔６１ｄは、係合ピン５２ｃの揺動範囲を許容するだけの所定の面積が確保されている。
【００９１】
ＳＭＢレバー５２の回動基部５２ａには、側板６１に植設されるＳＭＢレバー軸５４が挿通されている。これによって、ＳＭＢレバー５２は回動基部５２ａを回動中心としてＳＭＢレバー軸５４により回動自在に軸支されている。
【００９２】
ＳＭＢレバー軸５４には、ＳＭＢばね５３が巻回されている。ＳＭＢばね５３の一端はＳＭＢレバー５２の他腕部の中程の部位に係止され、他端は側板６１に設けられる被係止腕部６１ａに係止されている。これにより、ＳＭＢばね５３は、ＳＭＢレバー５２をＳＭＢレバー軸５４を回動中心として図７の矢印Ｒ１０方向に付勢している。このＳＭＢばね５３の付勢力は、ＳＭＢレバー５２のカムフォロワ５２ｂをＳＭＢカム５１のカム部５１ａに当接させるように作用している。
【００９３】
そして、ＳＭＢレバー軸５４の先端には、ＳＭＢレバー５２及びＳＭＢばね５３がＳＭＢレバー軸５４からの脱落を防ぐためのＥリング５４ａが配設されている。
【００９４】
レバー係止部材５５は、ＳＭＢカム５１及びＳＭＢばね５３によるＳＭＢレバー５２の回動付勢力を所定の期間保持し、所定のタイミングで開放するために設けられる。
【００９５】
レバー係止部材５５は、回動中心となる回動基部（孔）５５ａと、一腕部の先端に設けられＳＭＢレバー５２の被係止部５２ｄが当接する係止部５５ｂと、他腕部の外周縁部に形成されミラーアップダウンレバー３５の押圧部３５ｃが当接する被押圧部５５ｄ等を有して形成されている。
【００９６】
レバー係止部材５５の回動基部５５ａには、側板６１に植設されるレバー係止部材支持軸５６が挿通されている。これによって、レバー係止部材５５は回動基部５５ａを回動中心としてレバー係止部材支持軸５６により回動自在に軸支されている。
【００９７】
レバー係止部材支持軸５６には、レバー係止ばね５７が巻回されている。レバー係止ばね５７は、一端がレバー係止部材５５の一腕部の中程の部位に係止され、他端は側板６１に設けられ該側板６１の平面に対して直交する方向に突設される支持軸１２ｃの根元６１ａに係止されている。これにより、レバー係止ばね５７は、レバー係止部材５５をレバー係止部材支持軸５６を回動中心として図１４の矢印Ｒ１５方向（同図において時計方向）に付勢している。このレバー係止ばね５７の付勢力は、レバー係止部材５５の被押圧部５５ｄをミラーアップダウンレバー３５の押圧部３５ｃに当接させる方向に作用している。
【００９８】
そして、レバー係止部材支持軸５６の先端には、レバー係止ばね５７が脱落するのを防ぐためのＥリング５６ａが配設されている。
【００９９】
このように構成される本実施形態のカメラ１における作用のうち、ミラーバウンド抑止機構５０を含むミラー駆動装置１０の作用を、図９〜図２１を用いて以下に説明する。
【０１００】
なお、図９〜図１３は、本実施形態のカメラのミラー駆動装置の正面から見て右側面を示す平面図である。図１４〜図１９は、ミラー駆動装置１０のうちミラーバウンド抑止機構５０に関連する構成部材のみを取り出して、その左側面（側板に対向する側の面）を示す図である。
【０１０１】
詳しくは、図９は、反射ミラー機構２がミラーダウン状態にあり、ミラーバウンド抑止機構５０が機能している状態（チャージ完了状態）を示している。即ち、ミラー駆動装置によるミラーアップ動作が行われる直前の状態である。なお、この状態をミラー駆動装置１０の初期状態とする。
【０１０２】
図１０は、図９の状態の後、反射ミラー機構２がミラーアップ動作を開始した直後の状態を示している。
【０１０３】
図１１は、図１０の状態の後、反射ミラー機構２のミラーアップ動作が完了した状態を示している。即ち、ミラーダウン動作が行われる直前の状態である。
【０１０４】
図１２は、図１１の状態の後、ミラーダウン動作中におけるミラーフックレバーの係止解除直後の状態を示している。また、反射ミラー機構２のミラーダウン動作の開始により、ミラーバウンド抑止機構５０のＳＭＢレバー５２の係止状態が解除された時点の状態を示している。
【０１０５】
図１３は、図１２の状態の後、ミラーダウン動作完了直後の状態であってシャッタチャージ動作が開始される直前の状態を示している。
【０１０６】
図１４は、図９と同状態を示し、ＳＭＢレバー５２が係止される直前の状態を示している。なお、この状態をミラーバウンド抑止機構についての初期状態とする。
【０１０７】
図１５は、図１０と同状態を示し、図１４の状態の後、ＳＭＢレバー５２が係止された直後の状態を示している。
【０１０８】
図１６は、図１３と同状態を示し、図１５の状態の後、ＳＭＢレバーが作動を開始直前状態を示している。
【０１０９】
図１７は、図１６の状態の後、さらにＳＭＢレバーが作動して、ＳＭＢレバーとカムとが当接した状態を示している。
【０１１０】
図１８は、図１７の状態の後、カムが作動を開始した状態を示している。
【０１１１】
図１９は、図１８の状態の後、さらにカムが作動した後の状態を示している。
【０１１２】
まず、本カメラ１が通常状態にあるときには、反射ミラー機構２のメインミラー１３及びサブミラー１４は、図１の実線で示す観察位置（符号１３，１４）にある。このときの反射ミラー機構２の状態をミラーダウン状態という。
【０１１３】
反射ミラー機構２がミラーダウン状態にあるとき、メインミラー１３は、被写体側から撮影レンズを透過して入射した被写体光束を反射面で反射して、ファインダユニット４の側に導く。これにより、使用者はファインダユニット４を用いて被写体像の観察を行なうことができる。また、このとき、被写体光束の一部は、メインミラー１３の半透過部を透過して直進しサブミラー１４に照射される。これを受けてサブミラー１４は、同被写体光束を反射面で反射して測距ユニット５の側に導く。これにより、反射ミラー機構２がミラーダウン状態にあるときに、使用者が測距動作を行なうための所定の操作を行なうと、その操作指示信号を受けて本カメラ１の制御回路（特に図示せず）は測距ユニット５を駆動制御する。これにより、測距ユニット５による所定の測距動作が実行される。
【０１１４】
また、本カメラ１の反射ミラー機構２がミラーダウン状態にあるときには、シャッタ装置１５のシャッタ制御機構はシャッタチャージが完了した状態にある。
【０１１５】
ミラーダウン状態にあるときのミラー駆動装置１０における反射ミラー機構２の動力伝達機構の各構成部材の状態は図９に示す通りである。また、ミラーバウンド抑止機構の各構成部材の状態は、図９及び図１４に示す通りである（初期状態）。
【０１１６】
図９のミラーダウン状態においては、チャージギア３１のカム３１ａのカム面に駆動レバー３２のカムフォロワ３２ａが当接している。このとき、カムフォロワ３２ａは、カム３１ａによって図９の矢印Ｒ３に沿う方向に押圧された状態にある。したがって、この状態における駆動レバー３２は、ミラーアップばね３３の付勢力に抗して支持軸１２ｃを回動中心として図９における時計方向（矢印Ｒ３方向）に付勢されている。
【０１１７】
これと同時に、駆動レバー３２上に配設されるミラーフックレバー３６は、フックレバー係止ばね３７によりピン４０を回動中心として図９において反時計方向に付勢されている。したがって、このときミラーフックレバー３６のフック部３６ａには、ミラーアップダウンレバー３５の係止ボス３５ｂが係合した状態となっている。ただし、この時点では、フック部３６ａによる回動力量は、係止ボス３５ｂに作用していない。
【０１１８】
また、この状態において、ＳＭＢカム５１のカム部５１ａには、ＳＭＢレバー５２のカムフォロワ５２ｂが当接している。このとき、カムフォロワ５２ｂは、カム部５１ａによって図１４の矢印Ｒ１１に沿う方向に押圧された状態にある。したがって、この状態におけるＳＭＢレバー５２は、ＳＭＢばね５３の付勢力に抗してＳＭＢレバー軸５４を回動中心として図１４における時計方向（矢印Ｒ１１方向）に押圧されている。
【０１１９】
この図９に示すミラーダウン状態において、チャージギア３１が支持軸１２ｂを回転中心として図９の矢印Ｒ４方向（同図において反時計方向）に回転すると、反射ミラー機構２の動力伝達機構は、図１０に示す状態に移行する。
【０１２０】
図１０に示す状態においては、駆動レバー３２のカムフォロワ３２ａがチャージギア３１のカム３１ａのカム面の段差部３１ａａに落ち込んだ状態となっている。これにより、駆動レバー３２は、ミラーアップばね３３の付勢力によって支持軸１２ｃを回動中心として図１０の矢印Ｒ５に沿う方向（同図において反時計方向）に回動する。
【０１２１】
この駆動レバー３２の回動に伴って、ミラーフックレバー３６のフック部３６ａは、ミラーアップダウンレバー３５の係止ボス３５ｂとの係合状態を維持したまま、駆動レバー３２と同方向（図１０において反時計方向）に回動する。
【０１２２】
したがってこれにより、ミラーアップダウンレバー３５も、支持軸１２ｃを回動中心として図１０の矢印Ｒ５に沿う方向（同図反時計方向）に回動する。ここで、ミラーアップダウンレバー３５のレバー部３５ａには、メインミラー１３のミラー駆動棒１３ｂがミラーダウンばね３４の付勢力によって当接した状態にある。そこで、上述のようにミラーアップダウンレバー３５が図１０の矢印Ｒ５に沿う方向（同図反時計方向）に回動すると、レバー部３５ａは同図矢印Ｒ６に沿う方向（即ち同図反時計方向）に回動する。これにより、レバー部３５ａは、ミラーダウンばね３４の付勢力に抗してミラー駆動棒１３ｂを介してメインミラー１３をアップ方向に押し上げる。なお、ミラーアップばね３３の付勢力は、ミラーダウンばね３４の付勢力より強く設定されている。
【０１２３】
メインミラー１３がミラーアップ状態に変位するのに伴って、サブミラー１４もミラーアップ状態に変位する。即ち、反射ミラー機構２の各ミラー１３，１４は、図１の二点鎖線で示す退避位置（符号１３ａ，１４ａ）に変位する。このときの反射ミラー機構２の状態をミラーアップ状態という。
【０１２４】
このミラーアップ状態は、ミラー駆動装置１０における動力伝達機構が図１０に示す状態にある間、即ち、ミラーフックレバー３６のフック部３６ａとミラーアップダウンレバー３５の係止ボス３５ｂとの係合状態が維持されている。
【０１２５】
一方、反射ミラー機構２が図９の状態から図１０の状態へと移行する過程において、チャージギア３１が上述のように回転すると、これに連動してＳＭＢカム５１も同方向に回転する。したがって、ＳＭＢカム５１は、図１４において矢印Ｒ１２方向（同図において時計方向）に回転する。これにより、ミラーバウンド抑止機構５０は、図１５に示す状態へと移行することになる。
【０１２６】
この移行時においては、上述したようにチャージギア３１の回転により駆動レバー３２が回動し、その回動に伴ってミラーフックレバー３６を介してミラーアップダウンレバー３５を駆動レバー３２と同方向（図１０において反時計方向）に回動させる。
【０１２７】
これにより、ミラーアップダウンレバー３５が支持軸１２ｃを回動中心として図１０の矢印Ｒ５に沿う方向（同図反時計方向）に回動する。このミラーアップダウンレバー３５の回動は、図１４においては、支持軸１２ｃを回動中心とする矢印Ｒ１３方向（同図時計方向）で示される。
【０１２８】
このように、ミラーアップダウンレバー３５が図１４において矢印Ｒ１３方向（同図時計方向）に回動すると、ミラーアップダウンレバー３５のレバー部３５ａも同方向（図１４の矢印Ｒ１４で示す）に支持軸１２ｃを回動中心として回動する。これにより、ミラーアップダウンレバー３５の押圧部３５ｃとレバー係止部材５５の被押圧部５５ｄとが離間して、両者の当接状態が解除される。すると、レバー係止部材５５は、レバー係止ばね５７の付勢力によって図１４の矢印Ｒ１５方向にレバー係止部材支持軸５６を回動中心とする回動を開始するが、すぐに、レバー係止部材５５の係止部５５ｂは、図１５に示すようにＳＭＢレバー５２の被係止部５２ｄに当接して、これを係止する状態となる。これにより、レバー係止部材５５の図１４，図１５の矢印Ｒ１５方向へのレバー係止ばね５７の付勢力による回動は、ＳＭＢレバー５２の被係止部５２ｄによって規制される。
【０１２９】
こうして、ＳＭＢレバー５２の被係止部５２ｄとレバー係止部材５５の係止部５５ｂとが当接した状態になった後、さらにチャージギア３１が同方向に回転し、これに連動してＳＭＢカム５１が同方向（図１４の矢印Ｒ１２方向）へと回転を続けると、ＳＭＢカム５１のカム部５１ａに当接しているＳＭＢレバー５２のカムフォロワ５２ｂは、ＳＭＢカム５１の回転に伴ってカム部５１ａに沿って相対移動し、やがて同カム部５１ａの段差部５１ａａに落ち込むことにより、ＳＭＢレバー５２のカムフォロワ５２ｂとＳＭＢカム５１のカム部５１ａとは離間して、両者の当接状態が解除される。その後、さらに、ＳＭＢカム５１が回動した状態が図１５に示す状態である。
【０１３０】
上述のようにして、ＳＭＢレバー５２のカムフォロワ５２ｂとＳＭＢカム５１のカム部５１ａとの当接状態が解除されると、ＳＭＢレバー５２はＳＭＢばね５３の付勢力によってＳＭＢレバー軸５４を回動中心として図１５の矢印Ｒ１６方向（同図において反時計方向）に回動しようとするが、上述した如く、このとき既に、レバー係止部材５５の係止部５５ｂがＳＭＢレバー５２の被係止部５２ｄを係止している。したがって、ＳＭＢレバー５２の状態は、図１５に示す状態のまま、後述するように、再度ミラーアップダウンレバー３５が回動して反射ミラー機構２がミラーダウン状態となるまで維持される。
【０１３１】
図１０のミラーアップ開始状態から、さらにチャージギア３１が支持軸１２ｂを回転中心として同図１０において反時計方向に回転すると図１１に示す状態に移行する。
【０１３２】
図１１に示す状態においては、図１０の状態からチャージギア３１が同図における反時計方向に若干回転することにより、チャージギア３１のフック解除ボス３１ｂが所定の軌跡で移動して、ミラーフックレバー３６のフォロワ部３６ｂに当接した状態を示している。その他の部材に変化は無い。
【０１３３】
この図１１の状態から、さらにチャージギア３１が同図における反時計方向に回動すると、図１２の状態に移行する。
【０１３４】
図１２に示す状態においては、図１１の状態からチャージギア３１が同図における反時計方向に若干回転したことにより、チャージギア３１のフック解除ボス３１ｂがミラーフックレバー３６のフォロワ部３６ｂを押圧する。すると、ミラーフックレバー３６は、フックレバー係止ばね３７の付勢力に抗してピン４０を回動中心として図１２の矢印Ｒ７に沿う方向（同図において時計方向）に若干回動する。これにより、ミラーフックレバー３６のフック部３６ａとミラーアップダウンレバー３５の係止ボス３５ｂとの係合状態が解除されることになる。このときの両者の係合状態が解除された直後の状態を図１２は示している。
【０１３５】
このフック部３６ａと係止ボス３５ｂとの係合状態が解除されると、ミラーアップダウンレバー３５は回動方向にフリー状態になる。すると、メインミラー１３のミラー駆動棒１３ｂは、ミラーダウンばね３４の付勢力によってダウン方向に押し下げられる。これにより、メインミラー１３のミラー駆動棒１３ｂは、ミラーアップダウンレバー３５のレバー部３５ａに作用して、ミラーアップダウンレバー３５を支持軸１２ｃを回動中心とする図１２のＲ８に沿う方向（同図における時計方向）に回動させる。
【０１３６】
このようにして、フック部３６ａと係止ボス３５ｂとの係合状態が解除されるのと同時に、ミラーダウン動作が開始されて、メインミラー１３がミラーダウン状態に変位する。これと同時に、サブミラー１４もミラーダウン状態に変位する。そして、反射ミラー機構２の各ミラー１３，１４は、図１の実線で示す観察位置（符号１３，１４）、即ち図１３に示すミラーダウン状態に変位する。
【０１３７】
上述したようにミラーアップダウンレバー３５が回動して図１２の状態から図１３に示す位置に配置されるとき、ミラーバウンド抑止機構５０は、図１５の状態から図１６に示す状態になる。
【０１３８】
即ち、図１２の状態から図１３の状態に移行する際、上述したようにミラーアップダウンレバー３５は、ミラーダウンばね３４の付勢力によるメインミラー１３のミラー駆動棒１３ｂのダウン方向への移動に伴って、図１２において時計方向に回動する。
【０１３９】
このときのミラーアップダウンレバー３５の回動は、支持軸１２ｃを回動中心とする図１５の矢印Ｒ１７方向（同図における反時計方向）の回動として示される。この回動により、ミラーアップダウンレバー３５は、図１５の状態から図１６の状態に移行する。このとき、ミラーアップダウンレバー３５のレバー部３５ａとは異なる位置に設けられたストパ端部３５ｄが側板６１に設けられた壁６１ｈに当接し、ミラーアップダウンレバー３５の回動は停止する。
【０１４０】
こうしてミラーアップダウンレバー３５が図１５の矢印Ｒ１７方向に回動すると、ミラーアップダウンレバー３５の押圧部３５ｃがレバー係止部材５５の被押圧部５５ｄに当接する。ミラーアップダウンレバー３５がさらに同方向に回動すると、図１６に示すように押圧部３５ｃはレバー係止部材５５を押圧しながら被押圧部５５ｄに沿って相対移動する。これにより、レバー係止部材５５は、レバー係止ばね５７の付勢力に抗してレバー係止部材支持軸５６を回動中心とする図１６の矢印Ｒ１８方向（同図において反時計方向）に回動する。
【０１４１】
こうしてレバー係止部材５５が図１６の矢印Ｒ１８方向に回動すると、レバー係止部材５５の係止部５５ｂによるＳＭＢレバー５２の被係止部５２ｄの係止状態が解除される。このときＳＭＢレバー５２にはＳＭＢばね５３の付勢力が作用しているので、ＳＭＢレバー５２は、ＳＭＢレバー軸５４を回動中心とする図１６の矢印Ｒ１６方向（同図において反時計方向）へと回動する。このときのＳＭＢレバー５２の回動は、ＳＭＢレバー５２のカムフォロワ５２ｂがＳＭＢカム５１のカム部５１ａに当接することで規制される。これにより、ミラーバウンド抑止機構５０は、図１７に示す状態に移行する。そして、この図１７の状態になったとき、ＳＭＢレバー５２の係合部材である係合ピン５２ｃは、ミラーダウン状態にあるサブミラー１４のサブミラー保持枠１４ｘに一体に形成されるサブミラーレバー６２の被係合部６２ａに係合する。このときの係合ピン５２ｃと被係合部６２ａとの位置関係は、図２０に示すような係合状態となる。これにより、サブミラー１４のサブミラー保持枠１４ｘは係止状態になる。
【０１４２】
図１３に戻って、反射ミラー機構２がミラーダウン状態になった後、さらにチャージギア３１が同図における反時計方向に回動することによって、シャッタチャージ動作が開始される。
【０１４３】
即ち、図１３の状態においてチャージギア３１が支持軸１２ｂを回動中心とする反時計方向に回動すると、チャージギア３１のカム３１ａは、駆動レバー３２のカムフォロワ３２ａに作用して、駆動レバー３２を支持軸１２ｃを回動中心とする同図１３における時計方向に回動させる。すると、駆動レバー３２上に一体に固定されるシャッタチャージレバー３８も、駆動レバー３２と共に同方向に回動する。これにより、シャッタチャージレバー３８のシャッタチャージ部３８ａは、図１３の矢印Ｒ１９に沿う方向に移動することになる。このとき、シャッタチャージ部３８ａは、シャッタ装置１５のシャッタセットレバー１５ａを押圧するようになっている（図１３では図示せず。図４，図５参照）。したがって、シャッタチャージレバー３８はシャッタチャージ部３８ａによってシャッタセットレバー１５ａをチャージ方向（本実施形態では下向き方向；図４において矢印Ｘ１方向）に駆動する。
【０１４４】
そして、チャージギア３１のさらなる回転により、やがて駆動レバー３２は、図１０の状態、即ち反射ミラー機構２がミラーダウン状態となり、かつシャッタ装置１５のシャッタ制御機構のシャッタチャージが完了した状態に復帰する。図１０の状態への復帰以降は、上述した一連の動作が適宜所定のタイミングで繰り返される。
【０１４５】
一方、上述のシャッタチャージ動作と平行して、ミラーバウンド抑止機構５０は次のような動作を行う。
【０１４６】
即ち、反射ミラー機構２がミラーダウン状態になったとき（図１３の状態）、ミラーバウンド抑止機構５０は図１７の状態にある。
【０１４７】
この図１７に示す状態にあるとき、チャージギア３１が図１３における反時計方向にさらに回動すると、これに連動して、ＳＭＢカム５１も同方向に回動する。このときＳＭＢカム５１の回動方向は、図１７においては、支持軸１２ｂを回動中心とする時計方向（図１７の矢印Ｒ２０方向）の回動である。このとき、ＳＭＢカム５１のカム部５１ａには、ＳＭＢレバー５２のカムフォロワ５２ｂが当接しているので、カムフォロワ５２ｂはカム部５１ａに沿って移動して、図１８の状態を経て図１９の状態へと移行する。その間、ミラーバウンド抑止機構５０の各構成部材のうちＳＭＢカム５１以外の構成部材は動作しない。
【０１４８】
チャージギア３１及びＳＭＢカム５１がさらに回動して、やがてＳＭＢレバー５２のカムフォロワ５２ｂが、ＳＭＢカム５１のカム部５１ａのカム面上の所定部位、即ちカム部５１ａのカム面が小径部位５１ｂの外径方向に向けて増大変位する部位（大径部位）５１ｃに到達し（図１９に示す状態）、その後、この部位を通過して以後は、カム部５１ａがカムフォロワ５２ｂをＳＭＢばね５３の付勢力に抗して押圧する作用が働く。これにより、ＳＭＢレバー５２は、カムフォロワ５２ｂが当接しているカム部５１ａのカム形状に従ってＳＭＢレバー軸５４を回動中心として図１９の矢印Ｒ１１方向（図１９において時計方向）への回動を開始する。
【０１４９】
そして、ＳＭＢレバー５２は、ＳＭＢカム５１が回動するのに伴って回動を続け、上述の図１４に示す状態に復帰する。図１４の状態への復帰以降は、上述した一連の動作が適宜所定のタイミングで繰り返される。
【０１５０】
以上説明したように上記一実施形態によれば、反射ミラー機構２（メインミラー１３及びサブミラー１４）をアップダウン駆動させると共に、所定のタイミングでシャッタチャージ駆動を行うように構成したミラー駆動装置１０の一構成部材であるチャージギア３１の支持軸１２ｂと同軸上に、該チャージギア３１が回転するのに連動して同時に同方向に回転するＳＭＢカム５１を設け、このＳＭＢカム５１に連動させてミラーバウンド抑止機構５０を駆動させるように構成している。
【０１５１】
そして、ミラー駆動装置１０の作用によって反射ミラー機構２がミラーダウン状態となったタイミングで、サブミラー１４のサブミラー保持枠１４ｘに一体に設けたサブミラーレバー６２を、即座に係止するようにしたので、反射ミラー機構２がミラーダウン状態となったときに生じるミラーバウンドをできるだけ早い時期に抑止することができる。
【０１５２】
ここで、反射ミラー機構２がミラーダウン状態となったときにサブミラーレバー６２を係止するための構成としては、該サブミラーレバー６２に設けた被係合部６２ａに対してミラーバウンド抑止機構５０の一構成部材であるＳＭＢレバー５２の係合ピン５２ｃを係合させるようにしている。ただし、この係合は、反射ミラー機構２が安定した状態、即ち静止状態では被係合部６２ａのカム面と係合ピン５２ｃとの間に僅かな空隙を有するように設定されている。なぜならば、メインミラー保持枠１３ｘとサブミラー保持枠１４ｘのそれぞれは、図１中に示す位置決めピン６１ｅと位置決めピン６１ｆに当接し、光路中の所定位置である観察位置で所定の角度に設定されていて、反射ミラー機構２がそれらのピン以外の部材に機械的に接触していることは一般的には機械寸法上、いわゆるダブル寸法となって不合理となるからである。もちろん、上記所定角度が崩されなければ本願のような上記空隙を必ずしも設ける必要はない。
【０１５３】
この場合において、被係合部６２ａは、係合ピン５２ｃを受ける部位の形状を円弧形状を有する略Ｕ字形状の凹に形成し、その円弧形状を、係合ピン５２ｃの外周円弧形状よりやや大きい形状となるように形成し、安定状態では係合ピン５２ｃとの接触がないように隙間を採っている。これにより、被係合部６２ａと係合ピン５２ｃとの係合状態をより確実に行なうことができる。したがって、ミラーバウンドの抑止効果のさらなる向上に寄与することができる。
【０１５４】
また、サブミラー保持枠１４ｘは、安定状態即ち静止状態において、被係合部６２ａの一部が係合ピン５２ｃと側板６１に設けられた補助ピン６１ｇとの間で隙間を採って挟まれている。したがって、サブミラー保持枠１４ｘはダウン状態で、位置決めピン６１ｆで当接しているが、補助ピン６１ｇとは離間している。これらの隙間があるため、サブミラー保持枠１４ｘ，メインミラー保持枠１３ｘはこれらの隙間のなかでその振動がおさめられることになる。
【０１５５】
なお、安定状態にて本願実施形態では係合ピン５２ｃと被係合部６２ａとの間は隙間を採った設定となっているが、他の実施形態として、係合ピン５２ｃの外周に柔らかい衝撃吸収素材からなる部材を設け、敢えてこの隙間を排除した設定もできる。これによれば、安定状態にても衝撃吸収素材の変形によりサブミラー保持枠１４ｘを所望の位置に設定できるばかりでなく、衝撃吸収素材によりミラーダウン時の振動を、さらに早く吸収できる。
【０１５６】
また、ミラーボックス１２の側板６１の一方の外壁面とミラー駆動装置１０との隙間空間を利用して、このミラー駆動装置１０に連結され、その駆動力を取り出し得るようにミラーバウンド抑止機構５０の各種構成部材を巧みに配置したので、カメラ１の内部空間を有効に利用することができ、よってカメラ１自体の小型化に寄与することができる。
【０１５７】
また、駆動モータ２０からの駆動力を受けて回転するチャージギア３１と同軸上にミラーバウンド抑止機構５０のＳＭＢカム５１を設けたので、駆動モータ２０による回転駆動力が複雑な動力伝達機構を介することなく直接、ミラーバウンド抑止機構５０へと伝達されるようにしたので、駆動力の損失を抑えることができると共に、機構の簡略化に寄与することができ、駆動モータ２０は、チャージギア３１一つを回転させるのみで、ミラーチャージ，シャッタチャージ，ミラーアップ，ミラーダウンの各動作に加えて、ミラーバウンド抑止機構５０のチャージ及び係止動作を同時に行なうことができる。したがって、部品点数を増加させることなく、また単純な機構で、カメラ１の撮影動作に必要な一連の動作を効率的に完了させることができると同時に、カメラ１自体の小型化に寄与することができる。
【０１５８】
［実施例］
このように構成される本発明を適用した上記一実施形態のカメラ１と、本発明を適用しない従来形式のカメラにおいて、反射ミラー機構２のメインミラー１３及びサブミラー１４のそれぞれに生じるミラーダウン時のミラーバウンドの状況を実験により調査したところ、図２２，図２３に示すような実験結果を得ることができた。
【０１５９】
図２２は、メインミラーのミラーバウンド状況である。ここで、実線で示す本発明を適用した上記一実施形態のカメラ（１）の方が、点線で示す従来型のカメラに比べて、メインミラー（１３）がミラーダウン状態となった時点（図２２のＡ点）以降で生じるミラーバウンドが即座に抑止されている状況がわかる。
【０１６０】
図２３は、サブミラーのミラーバウンド状況である。ここで、実線で示す本発明を適用した上記一実施形態のカメラ（１）の方が、点線で示す従来型のカメラに比べて、サブミラー（１４）がミラーダウン状態となった時点（図２３のＢ点）以降で生じるミラーバウンドが急速に抑止されていくようすがわかる。
【０１６１】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１６２】
【図１】本発明の一実施形態の一眼レフレックスカメラの内部構成を示す縦断面図。
【図２】図１の一眼レフレックスカメラの横断面図。
【図３】図１の一眼レフレックスカメラの主要構成ユニットを取り出して分解して示す要部拡大分解斜視図。
【図４】図１の一眼レフレックスカメラの主要構成ユニットを組み立てた状態を示す要部拡大斜視図。
【図５】図４の［Ｖ］−［Ｖ］線に沿う横断面図。
【図６】図３の状態の主要構成ユニットから一部の構成部材（ミラー駆動及びシャッタチャージ装置の一部とシャッタ装置等）を取り除いた状態を示す要部拡大斜視図。
【図７】図１の一眼レフレックスカメラにおける反射ミラー機構とミラーバウンド抑止機構に関連する構成部材のみを取り出して示す要部拡大斜視図。
【図８】図１の一眼レフレックスカメラにおける反射ミラー機構のみを取り出して示す要部拡大斜視図。
【図９】図１の一眼レフレックスカメラにおけるミラー駆動装置の作用を説明する図であって、ミラー駆動装置によるミラーアップ動作が行われる直前の状態を示す図。
【図１０】図１の一眼レフレックスカメラにおけるミラー駆動装置の作用を説明する図であって、図９の状態の後、反射ミラー機構がミラーアップ動作完了直後の状態を示す図。
【図１１】図１の一眼レフレックスカメラにおけるミラー駆動装置の作用を説明する図であって、図１０の状態の後、反射ミラー機構のミラーアップ動作が完了した状態であり、ミラーダウン動作が行われる直前の状態を示す図。
【図１２】図１の一眼レフレックスカメラにおけるミラー駆動装置の作用を説明する図であって、図１１の状態の後、ミラーダウン動作中におけるミラーフックレバーの係止解除直後の状態であり、また、反射ミラー機構のミラーダウン動作の開始により、ミラーバウンド抑止機構のＳＭＢレバーの係止状態が解除る直前の状態を示す図。
【図１３】図１の一眼レフレックスカメラにおけるミラー駆動装置の作用を説明する図であって、図１２の状態の後、ＳＭＢレバーの係止が解除されミラーダウン動作完了直後の状態であってシャッタチャージ動作が開始される直前の状態を示す図。
【図１４】図１の一眼レフレックスカメラにおけるミラー駆動装置のうちミラーバウンド抑止機構に関連する構成部材の作用を説明する図であって、図９と同状態を示し、ＳＭＢレバーが係止される直前の状態を示す図。
【図１５】図１の一眼レフレックスカメラにおけるミラー駆動装置のうちミラーバウンド抑止機構に関連する構成部材の作用を説明する図であって、図１０と同状態を示し、図１４の状態の後、ＳＭＢレバーが係止された直後の状態を示す図。
【図１６】図１の一眼レフレックスカメラにおけるミラー駆動装置のうちミラーバウンド抑止機構に関連する構成部材の作用を説明する図であって、図１５の状態の後、ＳＭＢレバーの係止が外れた状態を示す図。
【図１７】図１の一眼レフレックスカメラにおけるミラー駆動装置のうちミラーバウンド抑止機構に関連する構成部材の作用を説明する図であって、図１３と同状態を示し、図１６の状態の後、ＳＭＢレバーが作動して、ＳＭＢレバーとカムとが当接した状態を示す図。
【図１８】図１の一眼レフレックスカメラにおけるミラー駆動装置のうちミラーバウンド抑止機構に関連する構成部材の作用を説明する図であって、図１７の状態の後、カムがさらに作動した状態を示す図。
【図１９】図１の一眼レフレックスカメラにおけるミラー駆動装置のうちミラーバウンド抑止機構に関連する構成部材の作用を説明する図であって、図１８の状態の後、さらにカムが作動した後の状態を示す図。
【図２０】本発明の一実施形態の一眼レフレックスカメラにおける反射ミラー機構をミラーボックスの内部からミラー駆動装置側を見た場合において、サブミラーレバーの被係合部に対しＳＭＢレバーの係合ピンが係合した状態を示す平面図。
【図２１】本発明の一実施形態の一眼レフレックスカメラにおける反射ミラー機構をミラーボックスの左側面側から見た場合において、サブミラーレバーの被係合部とＳＭＢレバーの係合ピンとの非係合状態を示す平面図。
【図２２】本発明の一実施形態のカメラと従来のカメラにおいて、メインミラーがミラーアップ状態からミラーダウン状態に移行した時に生じるミラーバウンドの状況を比較して示す線図。
【図２３】本発明の一実施形態のカメラと従来のカメラにおいて、サブミラーがミラーアップ状態からミラーダウン状態に移行した時に生じるミラーバウンドの状況を比較して示す線図。
【符号の説明】
【０１６３】
１……カメラ
２……反射ミラー機構
３……撮像ユニット
４……ファインダユニット
５……測距ユニット
６……表示ユニット
７……ストロボユニット
８Ａ……前側カバー
８Ｂ……後側カバー
９……上側カバー
１０……ミラー駆動装置
１１……ボディマウント
１２……ミラーボックス
１２ｂ，１２ｃ，１２ｄ……支持軸
１２ｅ……固定部（溝）
１２ｆ……固定部
１３……メインミラー（主反射ミラー）
１３ｂ……ミラー駆動棒
１３ｘ……メインミラー保持枠
１４……サブミラー（副反射ミラー）
１４ｂ……回動軸
１４ｘ……サブミラー保持枠
１５……シャッタ装置
１６……撮像素子
２０……駆動モータ
２０ａａ……出力ギアー
３１……チャージギア
３１ａ……カム
３１ａａ……段差部
３１ｂ……フック解除ボス
３２……駆動レバー
３２ａ……カムフォロワ
３２ｂ……係止部
３２ｃ……回動基軸部
３３……ミラーアップばね
３４……ミラーダウンばね
３５……ミラーアップダウンレバー
３５ｃ……押圧部
３６……ミラーフックレバー
３７……フックレバー係止ばね
３８……シャッタチャージレバー
５０……ミラーバウンド抑止機構
５１……ＳＭＢカム（サブミラーバウンド抑止カム）
５１ａ……カム部（カム周面）
５１ａａ……段差部
５２……ＳＭＢレバー（サブミラーバウンド抑止レバー）
５２ａ……回動基部（孔）
５２ｂ……カムフォロワ
５２ｃ……係合ピン
５２ｄ……被係止部
５３……ＳＭＢばね（サブミラーバウンド抑止ばね）
５４……ＳＭＢレバー軸（サブミラーバウンド抑止レバー支持軸）
５５……レバー係止部材
５５ａ……回動基部（孔）
５５ｂ……係止部
５５ｄ……被押圧部
５６……レバー係止部材支持軸
５７……レバー係止ばね
６１……側板
６２……サブミラーレバー
６２ａ……被係合部
【図１】
2010128199.tif 000003
【図２】
2010128199.tif 000004
【図３】
2010128199.tif 000005
【図４】
2010128199.tif 000006
【図５】
2010128199.tif 000007
【図６】
2010128199.tif 000008
【図７】
2010128199.tif 000009
【図８】
2010128199.tif 000010
【図９】
2010128199.tif 000011
【図１０】
2010128199.tif 000012
【図１１】
2010128199.tif 000013
【図１２】
2010128199.tif 000014
【図１３】
2010128199.tif 000015
【図１４】
2010128199.tif 000016
【図１５】
2010128199.tif 000017
【図１６】
2010128199.tif 000018
【図１７】
2010128199.tif 000019
【図１８】
2010128199.tif 000020
【図１９】
2010128199.tif 000021
【図２０】
2010128199.tif 000022
【図２１】
2010128199.tif 000023
【図２２】
2010128199.tif 000024
【図２３】
2010128199.tif 000025